(57)【特許請求の範囲】
【請求項１】
光源としての発光ダイオードが長手方向に複数並設され、当該光源が点灯すると蛍光灯の如く光が照射される左右一対の発光手段を並設させて具備した蛍光灯型照明装置において、
長手方向に複数並べられた部位に前記光源がそれぞれ配設され、電源に対して各部位がそれぞれ配線されることにより独立して消灯又は点灯可能に配設されるとともに、前記光源のうち前記発光手段の長手方向に対して半分の部位の発光ダイオードの消灯状態を維持させつつ他の半分の部位の発光ダイオードを点灯させるコントロール手段を具備し、且つ、当該コントロール手段は、一方の前記発光手段及び他方の前記発光手段を全点灯又は全消灯可能とされるとともに、一方の前記発光手段の点灯部位及び他方の前記発光手段の点灯部位を互い違いとする点灯形態と、一方の前記発光手段の点灯部位及び他方の前記発光手段の点灯部位を同一側とする点灯形態とを選択可能とされたことを特徴とする蛍光灯型照明装置。
【発明の詳細な説明】
【技術分野】
【０００１】
本発明は、光源としての発光ダイオードが長手方向に複数並設され、当該光源が点灯すると蛍光灯の如く光が照射される発光手段を具備した蛍光灯型照明装置に関するものである。
【背景技術】
【０００２】
近時の省エネ嗜好に伴い、フェラメントを有したランプ等に代えて低消費電力及び長寿命の発光ダイオード（ＬＥＤ）を光源とした照明装置が多数提供されるに至っている。特に、近時においては、光源としての発光ダイオードを長手方向に複数並設させ、これら光源が点灯すると蛍光灯の如く周囲に光が照射される略円筒状の発光手段を具備した蛍光灯型照明装置が提案されるに至っており、従来の蛍光灯から交換しても違和感を感じないものが提案されている。
【先行技術文献】
【特許文献】
【０００３】
【特許文献１】特開２０１０−８０１３９号公報
【発明の概要】
【発明が解決しようとする課題】
【０００４】
しかしながら、上記従来の蛍光灯型照明装置においては、１つの発光手段の全ての発光ダイオードを点灯させていることから、以下の如き問題があった。
すなわち、例えば左右一対の発光手段を具備した蛍光灯型照明装置において更なる省電力化を図るためには、一方の発光手段のみを点灯させ他方の発光手段を照明装置から取り外す必要があったが、この場合、他方の発光手段の取り外し作業が煩わしいという問題がある。また、１本の発行手段を具備した蛍光灯型照明装置においても省電力化を図りたいというニーズも高くなっていた。
【０００５】
本発明は、このような事情に鑑みてなされたもので、省電力化を容易に図ることができる蛍光灯型照明装置を提供することにある。
【課題を解決するための手段】
【０００６】
請求項１記載の発明は、光源としての発光ダイオードが長手方向に複数並設され、当該光源が点灯すると蛍光灯の如く光が照射される左右一対の発光手段を並設させて具備した蛍光灯型照明装置において、長手方向に複数並べられた部位に前記光源がそれぞれ配設され、電源に対して各部位がそれぞれ配線されることにより独立して消灯又は点灯可能に配設されるとともに、前記光源のうち前記発光手段の長手方向に対して半分の部位の発光ダイオードの消灯状態を維持させつつ他の半分の部位の発光ダイオードを点灯させるコントロール手段を具備し、且つ、当該コントロール手段は、一方の前記発光手段及び他方の前記発光手段を全点灯又は全消灯可能とされるとともに、一方の前記発光手段の点灯部位及び他方の前記発光手段の点灯部位を互い違いとする点灯形態と、一方の前記発光手段の点灯部位及び他方の前記発光手段の点灯部位を同一側とする点灯形態とを選択可能とされたことを特徴とする。
【発明の効果】
【０００９】
請求項１の発明によれば、コントロール手段にて光源のうち前記発光手段の長手方向に対して半分の部位の発光ダイオードの消灯状態を維持させつつ他の半分の部位の発光ダイオードを点灯させることができるので、省電力化を容易に図ることができる。
【００１０】
また、コントロール手段は、発光手段における光源のうち半分の発光ダイオードの消灯状態を維持させつつ他の半分の発光ダイオードを点灯させ得るので、周囲への光の照射をある程度確保しつつ省電力化を容易に図ることができる。
【図面の簡単な説明】
【００１２】
【図１】本発明の実施形態に係る蛍光灯型照明装置における発光手段を示す平面図及び正面図
【図２】同蛍光灯型照明装置における発光手段内の発光ダイオードを示す拡大図
【図３】同蛍光灯型照明装置であって左右一対の発光手段を具備した蛍光灯型照明装置を示す平面図
【図４】同蛍光灯型照明装置における配線状態を示す模式図
【図５】同蛍光灯型照明装置における発光手段の点灯形態を示す模式図
【図６】同蛍光灯型照明装置における発光手段の点灯形態を示す模式図
【図７】同蛍光灯型照明装置における発光手段の点灯形態を示す模式図
【図８】同蛍光灯型照明装置における発光手段の点灯形態を示す模式図
【発明を実施するための形態】
【００１３】
以下、本発明の実施形態について図面を参照しながら具体的に説明する。
本実施形態に係る蛍光灯型照明装置は、既存の蛍光灯と外観及び寸法が略同一に設定された略円筒状の発光手段を具備して成るものであり、当該発光手段２は、図１、２に示すように、光源としての発光ダイオード１が長手方向に複数並設され、当該光源（各発光ダイオード１）が点灯すると蛍光灯の如く光が照射されるものである。
【００１４】
かかる発光手段２は、カバー部材２ａと基台部材２ｂとを組み合わせて成り、その両端に端子２ｃが取り付けられて構成されている。カバー部材２ａは、光を透過可能な乳白色の樹脂から成り、基台部材２ｂに取り付けられて一体化されているとともに、その内周面において、透過する光を拡散させる微小寸法の溝又は切欠きが形成されている。しかして、カバー部材２ａを光が透過する際、拡散されて、汎用の蛍光灯の如く照明し得るようになっている。
【００１５】
基台部材２ｂは、放熱を良好に行わせるリブ形状が外周面に形成されたアルミ材から成るもので、その上面に基板を固定可能とされるとともに、当該基板上に複数の発光ダイオード１が配設されている。しかるに、基板に形成された配線（具体的にはプリントされた配線）により、複数の発光ダイオード１のそれぞれに電力供給がなされ得るようになっている。
【００１６】
ここで、本実施形態においては、図３に示すように、上記の如き発光手段２が左右一対（２本）並設されて照明装置Ｋに取り付けられ、蛍光灯型照明装置を構成している。なお、説明上、照明装置Ｋに取り付けられた発光手段２のうち、一方の発光手段を符号Ａで示すとともに、他方の発光手段を符号Ｂで示すこととする。図中符号４〜７は、整流のための安定器を示している。
【００１７】
かかる蛍光灯型照明装置は、図４に示すように、一方の発光手段Ａにおける光源のうち半分の発光ダイオード１（図中左半分）が配設された部位Ａａと、他の半分の発光ダイオード１（図中右半分）が配設された部位Ａｂとに区分けされ、それぞれの部位Ａａ、Ａｂに対して安定器４、５を介して電力供給が行われるよう構成されている。すなわち、電源に対して部位Ａａと部位Ａｂとがそれぞれ配線され、これら部位Ａａと部位Ａｂとが独立して消灯又は点灯可能とされているのである。しかるに、一方の発光手段Ａは、部位Ａａ及び部位Ａｂの両者が点灯（全点灯）又は消灯（全消灯）可能とされるとともに、部位Ａａ、Ａｂ毎の点灯又は消灯が可能とされる。
【００１８】
また、他方の発光手段Ｂにおける光源のうち半分の発光ダイオード１（図中左半分）が配設された部位Ｂａと、他の半分の発光ダイオード１（図中右半分）が配設された部位Ｂｂとに区分けされ、それぞれの部位Ｂａ、Ｂｂに対して安定器６、７を介して電力供給が行われるよう構成されている。すなわち、電源に対して部位Ｂａと部位Ｂｂとがそれぞれ配線され、これら部位Ｂａと部位Ｂｂとが独立して消灯又は点灯可能とされているのである。しかるに、他方の発光手段Ｂは、部位Ｂａ及び部位Ｂｂの両者が点灯（全点灯）又は消灯（全消灯）可能とされるとともに、部位Ｂａ、Ｂｂ毎の点灯又は消灯が可能とされる。
【００１９】
さらに、各安定器４〜７と電源との間の配線には、コントロール手段３が接続されている。かかるコントロール手段３は、コントローラ電源８にて電力供給されて作動し得るとともに、発光手段Ａ、Ｂにおける光源のうち一部の発光ダイオード１の消灯状態を維持させつつ他の発光ダイオード１を点灯させるものである。なお、本実施形態に係る蛍光灯型照明装置おいては、照明装置本体の外部にリモコン９を具備しており、コントロール手段３に対する遠隔操作が可能とされている。
【００２０】
そして、コントロール手段３により、例えば発光手段Ａの部位Ａｂと、発光手段Ｂの部位Ｂａに対してのみ電力供給を行わせるようにすれば、図５に示すように、発光手段Ａにおいては部位Ａａの消灯状態を維持させつつ他の部位Ａｂの発光ダイオード１を点灯させるとともに、発光手段Ｂにおいては部位Ｂｂの消灯状態を維持させつつ他の部位Ｂａの発光ダイオード１を点灯させることができる。すなわち、発光手段Ａにて右半分を点灯させつつ発光手段Ｂにて左半分を点灯させることができるのである。
【００２１】
また、コントロール手段３により、例えば発光手段Ａの部位Ａａと、発光手段Ｂの部位Ｂｂに対してのみ電力供給を行わせるようにすれば、図６に示すように、発光手段Ａにおいては部位Ａｂの消灯状態を維持させつつ他の部位Ａａの発光ダイオード１を点灯させるとともに、発光手段Ｂにおいては部位Ｂａの消灯状態を維持させつつ他の部位Ｂｂの発光ダイオード１を点灯させることができる。すなわち、発光手段Ａにて左半分を点灯させつつ発光手段Ｂにて右半分を点灯させることができるのである。
【００２２】
さらに、コントロール手段３により、例えば発光手段Ａの部位Ａｂと、発光手段Ｂの部位Ｂｂに対してのみ電力供給を行わせるようにすれば、図７に示すように、発光手段Ａにおいては部位Ａａの消灯状態を維持させつつ他の部位Ａｂの発光ダイオード１を点灯させるとともに、発光手段Ｂにおいては部位Ｂａの消灯状態を維持させつつ他の部位Ｂｂの発光ダイオード１を点灯させることができる。すなわち、発光手段Ａ及び発光手段Ｂにてそれぞれ右半分のみを点灯をさせることができるのである。
【００２３】
また更に、コントロール手段３により、例えば発光手段Ａの部位Ａａと、発光手段Ｂの部位Ｂａに対してのみ電力供給を行わせるようにすれば、図８に示すように、発光手段Ａにおいては部位Ａｂの消灯状態を維持させつつ他の部位Ａａの発光ダイオード１を点灯させるとともに、発光手段Ｂにおいては部位Ｂｂの消灯状態を維持させつつ他の部位Ｂａの発光ダイオード１を点灯させることができる。すなわち、発光手段Ａ及び発光手段Ｂにてそれぞれ左半分のみを点灯をさせることができるのである。
【００２４】
このように、本実施形態によれば、発光手段２が複数（本実施形態においては２本）並設されて発光手段Ａ、Ｂが取り付けられた状態とされるとともに、コントロール手段３は、それぞれの発光手段Ａ、Ｂにおける光源のうち一部の発光ダイオード１の消灯状態を維持させつつ他の任意の発光ダイオード１を点灯させ得るよう構成されている。したがって、本実施形態によれば、複数の発光手段が配設された蛍光灯型照明装置においても、省電力化を容易に図ることができるとともに、コントロール手段３により、任意形態の発光手段による半分点灯を行わせることができる。
【００２５】
上記実施形態によれば、コントロール手段３にて光源のうち一部の発光ダイオード１の消灯状態を維持させつつ他の発光ダイオード１を点灯させることができるので、省電力化を容易に図ることができる。特に、本実施形態によれば、コントロール手段３は、発光手段２における光源のうち半分の発光ダイオード１の消灯状態を維持させつつ他の半分の発光ダイオード１を点灯させ得るので、周囲への光の照射をある程度確保しつつ省電力化を容易に図ることができる。
【００２６】
以上、本実施形態について説明したが、本発明はこれに限定されるものではなく、例えば３本以上の発光手段２を並設させるとともに、コントロール手段３にて、それぞれの発光手段２における光源のうち半分の発光ダイオード１の消灯状態を維持させつつ他の半分の発光ダイオード１を点灯させるよう構成してもよい。勿論、１本の発光手段２を具備し、コントロール手段３にて、その発光手段２における光源のうち半分の発光ダイオード１の消灯状態を維持させつつ他の半分の発光ダイオード１を点灯させるよう構成してもよい。なお、適用される照明器具は、笠付１灯式器具、笠付２灯式器具、逆富士１灯式器具、逆富士２灯式器具、トラフ１灯式器具灯、何れのものであってもよい。
【００２７】
また、本実施形態の如くリモコン９を具備したものに限らず、タイマ式、壁スイッチ式或いは光センサ式等によりコントロール手段３を操作可能なものとしてもよい。さらに、本実施形態においては、コントロール手段３にて発光手段２における光源のうち半分の発光ダイオード１の消灯状態を維持させつつ他の半分の発光ダイオード１を点灯させるよう構成されているが、光源のうち一部（半分に限らない）の発光ダイオード１の消灯状態を維持させつつ他の発光ダイオード１を点灯させるよう構成したものであれば足りる。
【産業上の利用可能性】
【００２８】
光源のうち発光手段の長手方向に対して半分の部位の発光ダイオードの消灯状態を維持させつつ他の半分の部位の発光ダイオードを点灯させるコントロール手段を具備し、且つ、当該コントロール手段は、一方の発光手段及び他方の発光手段を全点灯又は全消灯可能とされるとともに、一方の発光手段の点灯部位及び他方の前記発光手段の点灯部位を互い違いとする点灯形態と、一方の発光手段の点灯部位及び他方の発光手段の点灯部位を同一側とする点灯形態とを選択可能とされた蛍光灯型照明装置であれば、外観形状が異なるもの或いは他の機能が付加されたものに適用してもよい。
【符号の説明】
【００２９】
１  発光ダイオード（光源）
２  発光手段
３  コントロール手段
４〜７  安定器
８  コントローラ電源
９  リモコン
Ａ、Ｂ  発光手段
【図１】
0005893282.tif 000002
【図２】
0005893282.tif 000003
【図３】
0005893282.tif 000004
【図４】
0005893282.tif 000005
【図５】
0005893282.tif 000006
【図６】
0005893282.tif 000007
【図７】
0005893282.tif 000008
【図８】
0005893282.tif 000009